(57)【要約】【課題】  効率よくデジタルシネマの配信を行なうとともにデジタルシネマの有するライブ利用特性も満足させるためのデジタルシネマ用映画配信システムを提供することを目的とする。【解決手段】  映画を格納するコンテンツ蓄積及び送信サーバ３と、映画を上映する受信及び上映サーバ４と、映画を配信するＦＰＵ送信機１と、配信された映画を受信するＦＰＵ受信機２と、を備えるネットワークシステムで映画を配信する映画配信方法において、受信及び上映サーバ４が、映画の配信を依頼する要求をし、コンテンツ蓄積及び送信サーバ３が、要求に従って映画を選択し、選択した映画をＦＰＵ送信機１に送信し、ＦＰＵ送信機１は、ＦＰＵ受信機２を介して受信及び上映サーバ４に映画を送信し、受信及び上映サーバ４は、映画を上映する。【選択図】  図３
2005286561.tif 000002
【特許請求の範囲】
【請求項１】
映画を格納するコンテンツ蓄積及び送信サーバと、前記映画の受信及び上映サーバと、前記映画を配信するＦＰＵ送信機と、当該配信された映画を受信するＦＰＵ受信機と、を備えるネットワークシステムで映画を配信する映画配信方法において、
前記受信及び上映サーバが、映画の配信を依頼する要求をし、
前記コンテンツ蓄積及び送信サーバが、当該要求に従って前記映画を選択し、
当該選択した映画を前記ＦＰＵ送信機に送信し、
前記ＦＰＵ送信機は、前記ＦＰＵ受信機を介して前記受信及び上映サーバに前記映画を送信し、
前記受信及び上映サーバは、当該映画を上映することを特徴とする映画配信方法。
【請求項２】
映画を格納するコンテンツ蓄積及び送信サーバと、前記映画の受信及び上映サーバと、前記映画を配信するＦＰＵ送信機と、当該配信された映画を受信するＦＰＵ受信機と、を備えるネットワークシステムで映画を配信する映画配信方法において、
前記受信及び上映サーバは、前記コンテンツ蓄積及び送信サーバに、どの映画が蓄積されているかという映画蓄積情報を問い合わせ、
前記コンテンツ蓄積及び送信サーバの映像ファイル蓄積領域に格納されるファイルから配信を希望する映画を選択し、
前記コンテンツ蓄積及び送信サーバは、前記コンテンツ蓄積及び送信サーバに格納される、前記ＦＰＵ送信機が配信する計画が記載される表である配信計画表を閲覧し、
前記ＦＰＵ送信機が配信することが可能な時間帯を探し出し、
配信を希望する日時を予約し、
前記受信及び上映サーバは、自身を示す番号である受信及び上映サーバ装置番号をＦＰＵ受信機に送信し、
前記ＦＰＵ受信機は、当該ＦＰＵ受信機を示す番号であるＦＰＵ受信機装置番号を前記受信及び上映サーバ装置番号に加えて、当該ＦＰＵ受信機装置番号を有するＦＰＵ受信機が受信した映画は前記受信及び上映サーバ装置番号を送信した前記受信及び上映サーバにのみ送信されるという情報を作成し暗号化し、前記受信及び上映サーバに送り、
前記受信及び上映サーバは、配信可能な時間帯及び映像のファイル番号より暗号を作り、
前記ＦＰＵ受信機から送信された暗号化された情報とともに当該作成した暗号をコンテンツ蓄積及び送信サーバに送信し、
前記コンテンツ蓄積及び送信サーバは、前記受信及び上映サーバの要求により、前記映画及び前記配信計画表を選択し、
前記受信及び上映サーバから受信した情報とともに前記選択した情報を前記ＦＰＵ送信機に送信し、
前記ＦＰＵ送信機は、当該情報を受信すると、前記映画を圧縮し、
前記情報を送信したＦＰＵ受信機の方向に前記映画を送信し、
前記ＦＰＵ受信機は、前記送信された映画を解凍し、
当該解凍した映画を送信する受信及び上映サーバを判別し、
当該判別に従って前記映画を送信し、
前記受信及び上映サーバは、受信した映画を上映することを特徴とする映画配信方法。
【請求項３】
前記映画は画像がデジタルデータで構成されるデジタルシネマであることを特徴とする請求項１又は２記載の映画配信方法。
【請求項４】
映画を格納するコンテンツ蓄積及び送信サーバと、前記映画の受信及び上映サーバと、前記映画を配信するＦＰＵ送信機と、当該配信された映画を受信するＦＰＵ受信機と、を備える映画配信システムにおいて、
前記ＦＰＵ送信機は、前記ＦＰＵ受信機を介して前記受信及び上映サーバに前記映画を送信する手段を、備えており、
前記コンテンツ蓄積及び送信サーバは、前記受信及び上映サーバからの要求に従って前記映画を選択する手段と、
当該選択した映画を前記ＦＰＵ送信機に送信する手段と、を備えており、
前記受信及び上映サーバは、映画の配信を依頼する要求をする手段と、当該映画を上映する手段と、を備えており、ここで、
前記受信及び上映サーバが前記映画の配信を依頼する要求をする手段で映画の配信を要求し、前記コンテンツ蓄積及び送信サーバが前記映画を選択する手段で前記映画を選択し、前記映画送信手段で当該選択された映画を送信し、前記ＦＰＵ送信機は、前記ＦＰＵ受信機を介して前記受信及び上映サーバに前記映画を送信し、前記受信及び上映サーバは当該映画を上映することを特徴とする映画配信システム。
【請求項５】
映画を格納するコンテンツ蓄積及び送信サーバと、前記映画の受信及び上映サーバと、前記映画を配信するＦＰＵ送信機と、当該配信された映画を受信するＦＰＵ受信機と、を備える映画配信システムにおいて、
前記コンテンツ蓄積及び送信サーバは、前記コンテンツ蓄積及び送信サーバに格納される、前記ＦＰＵ送信機が配信する計画が記載される表である配信計画表を閲覧する手段と、
前記ＦＰＵ送信機が前記映画を配信することが可能な時間を探し出す手段と、
配信日時を希望する日時を予約する手段と、
前記受信及び上映サーバの要求により、前記映画及び前記配信計画表を選択する手段と、
前記受信及び上映サーバから受信した情報とともに前記選択した情報を前記ＦＰＵ送信機に送信する選択情報送信手段と、を備えており、
前記受信及び上映サーバは、前記コンテンツ蓄積及び送信サーバに、どの映画が蓄積されているかという映画蓄積情報を問い合わせる手段と、
前記コンテンツ蓄積及び送信サーバの映像ファイル蓄積領域に格納されるファイルから配信を希望する映画を選択する手段と、
自身を示す番号である受信及び上映サーバ装置番号をＦＰＵ受信機に送信する手段と、
配信可能な時間帯及び映像のファイル番号より暗号を作る手段と、
前記ＦＰＵ受信機から送信された暗号化された情報とともに当該作成した暗号をコンテンツ蓄積及び送信サーバに送信する手段と、
受信した映画を上映する手段と、を備えており、
前記ＦＰＵ受信機は、当該ＦＰＵ受信機を示す番号であるＦＰＵ受信機装置番号を前記受信及び上映サーバ装置番号に加えて、当該ＦＰＵ受信機装置番号を有するＦＰＵ受信機が受信した映画は前記受信及び上映サーバ装置番号を送信した前記受信及び上映サーバにのみ送信されるという情報を作成し暗号化し、前記受信及び上映サーバに送る暗号化送信手段と、
前記ＦＰＵ受信機は、前記送信された映画を解凍する手段と、
当該解凍した映画を送信する受信及び上映サーバを判別する手段と、
当該判別に従って前記映画を送信する手段と、を備えており、
前記ＦＰＵ送信機は、当該情報を受信すると、前記映画を圧縮する手段と、
前記情報を送信したＦＰＵ受信機の方向に前記映画を送信する手段と、を備えており、ここで、
前記受信及び上映サーバは、前記映画蓄積手段で問い合わせ、前記映画選択手段で前記映画を選択し、
前記コンテンツ蓄積及び送信サーバは、前記配信計画表閲覧手段で配信計画表を閲覧し、前記配信可能時間探索手段で配信可能な時間帯を探し出し、前記配信希望日時予約手段で予約し、
前記受信及び上映サーバは、前記受信及び上映サーバ装置番号送信手段で送信し、前記ＦＰＵ受信機は暗号化送信手段で暗号化し送信し、
前記コンテンツ蓄積及び送信サーバは、前記配信計画表選択手段で配信計画表を選択し、前記情報選択送信手段で送信し、
前記ＦＰＵ送信機は、前記映画圧縮手段で圧縮し、前記映画送信手段で送信し、
前記ＦＰＵ受信機は、前記映画解凍手段で前記映画を解凍し、前記受信及び上映サーバ判別手段で判別し、前記映画送信手段で送信し、
前記受信及び上映サーバは、前記映画上映手段で上映することを特徴とする映画配信システム。
【請求項６】
前記映画は画像がデジタルデータで構成されるデジタルシネマであることを特徴とする請求項４又は５記載の映画配信システム。
【発明の詳細な説明】
【技術分野】
【０００１】
本発明は、映画配信方法及び映画配信システムに関し、特に、ＦＰＵ（Field Pickup Unit  地上中無線継装置）を用いた映画配信方法及び映画配信システムに関する。
【背景技術】
【０００２】
従来、デジタルシネマの映画館にコンテンツを配信する際には、大きな情報容量のためと、情報保護という観点とからＤＶＤ（digital videodisk）に情報を書き込み、担当者がＤＶＤを持ち運び、映画上映機器に書き込むという方法が取られていた。
【０００３】
しかし、デジタルシネマ上映館が増えると、この配信方法では効率が悪いということで、衛星を利用した配信方法や光ケーブルを利用した配信方法が検討されるようになった。
【０００４】
衛星を用いた配信方法のよい点は多くの映画館に同時に配信できることだが、例えば２時間の映画コンテンツのファイルサイズは５００ギガバイトや、１テラバイト程度であり、映像品質を犠牲にして圧縮率を高くしても１００ギガバイトを超えるため、帯域幅が限られる衛星を用いた配信には、一晩以上の時間かかる。上映する映画館は、その間休館することになり、上映する映画コンテンツを頻繁に変えたい興行会社にとっては問題となる。
【０００５】
そこで、例えば、特許文献２では、デジタル信号のコンテンツを限られた帯域幅で伝送する方法が提案されている。
【０００６】
しかし、衛星を用いた配信は、必要な機材を備えれば、誰でも受信が可能となるため、セキュリティの面での問題が発生しやすい。
【０００７】
一方、光ケーブルを用いた配信方法には、セキュリティを重視して専用線で配信する方法と、配信価格の低廉化を重視してインターネットを利用して配信する方法の２通りが考えられる。
【０００８】
しかし、専用線利用にはデジタルシネマの品質を保つために広帯域が必要でありランニングコストがかかる。インターネットを利用するには帯域不足以上にセキュリティの面で不備がある。
【０００９】
デジタルシネマの利用方法として、ライブ上映が注目されている。従来の映画館（ＦＩＬＭ使用）では味わえないテレビのような即時性があり、大画面で見ることのできるコンテンツのリアルタイム上映利用方法である。衛星利用の場合、ＣＳ（communications satellite）衛星を利用すれば、大画面に高精細で上映する画像品質を保つための広帯域問題は確保できるかもしれないが、上記したセキュリティの問題や衛星回線利用のデジタルシネマ上映館一館当たりの衛星使用料の問題が残る。
【００１０】
光回線利用の場合は、広帯域問題は時間がたてば解決可能であるが、セキュリティを維持するための専用回線の価格がどこまで下がるかに掛かっている。
【００１１】
デジタルシネマの普及黎明期においては、衛星受信の端末が増えず衛星利用の映画館一館当たりの費用が大変高いものになる。
【特許文献１】特表２０００−５０５２５０号公報
【特許文献２】特表２０００−５０４９０６号公報
【発明の開示】
【発明が解決しようとする課題】
【００１２】
上記したように、デジタルシネマ用映画配信として、検討されている衛星利用や光ケーブル利用は現時点では、運用コスト面やセキュリティの面で利用しずらいシステムである。
【００１３】
そこで、本発明は、デジタルシネマの普及黎明期において視聴人口が多く、映画館が多く集まっている地域で効率よくデジタルシネマの配信を行ない、かつデジタルシネマの有するライブ利用特性も満足させるための、デジタルシネマ用映画配信システムの第３番目のシステムを提供することを目的とする。
【課題を解決するための手段】
【００１４】
本発明は、上記課題を解決するための手段として、映画を格納するコンテンツ蓄積及び送信サーバと、前記映画の受信及び上映サーバと、前記映画を配信するＦＰＵ送信機と、当該配信された映画を受信するＦＰＵ受信機と、を備えるネットワークシステムで映画を配信する映画配信方法において、前記受信及び上映サーバが、映画の配信を依頼する要求をし、前記コンテンツ蓄積及び送信サーバが、当該要求に従って前記映画を選択し、当該選択した映画を前記ＦＰＵ送信機に送信し、前記ＦＰＵ送信機は、前記ＦＰＵ受信機を介して前記受信及び上映サーバに前記映画を送信し、前記受信及び上映サーバは、当該映画を上映することを特徴とする。
【００１５】
また、本発明は、映画を格納するコンテンツ蓄積及び送信サーバと、前記映画の受信及び上映サーバと、前記映画を配信するＦＰＵ送信機と、当該配信された映画を受信するＦＰＵ受信機と、を備えるネットワークシステムで映画を配信する映画配信方法において、前記受信及び上映サーバは、前記コンテンツ蓄積及び送信サーバに、どの映画が蓄積されているかという映画蓄積情報を問い合わせ、前記コンテンツ蓄積及び送信サーバの映像ファイル蓄積領域に格納されるファイルから配信を希望する映画を選択し、前記コンテンツ蓄積及び送信サーバは、前記コンテンツ蓄積及び送信サーバに格納される、前記ＦＰＵ送信機が配信する計画が記載される表である配信計画表を閲覧し、前記ＦＰＵ送信機が配信することが可能な時間帯を探し出し、配信を希望する日時を予約し、前記受信及び上映サーバは、自身を示す番号である受信及び上映サーバ装置番号をＦＰＵ受信機に送信し、前記ＦＰＵ受信機は、当該ＦＰＵ受信機を示す番号であるＦＰＵ受信機装置番号を前記受信及び上映サーバ装置番号に加えて、当該ＦＰＵ受信機装置番号を有するＦＰＵ受信機が受信した映画は前記受信及び上映サーバ装置番号を送信した前記受信及び上映サーバにのみ送信されるという情報を作成し暗号化し、前記受信及び上映サーバに送り、前記受信及び上映サーバは、配信可能な時間帯及び映像のファイル番号より暗号を作り、前記ＦＰＵ受信機から送信された暗号化された情報とともに当該作成した暗号をコンテンツ蓄積及び送信サーバに送信し、前記コンテンツ蓄積及び送信サーバは、前記受信及び上映サーバの要求により、前記映画及び前記配信計画表を選択し、前記受信及び上映サーバから受信した情報とともに前記選択した情報を前記ＦＰＵ送信機に送信し、前記ＦＰＵ送信機は、当該情報を受信すると、前記映画を圧縮し、前記情報を送信したＦＰＵ受信機の方向に前記映画を送信し、前記ＦＰＵ受信機は、前記送信された映画を解凍し、当該解凍した映画を送信する受信及び上映サーバを判別し、当該判別に従って前記映画を送信し、前記受信及び上映サーバは、受信した映画を上映することを特徴とする。
【００１６】
また、本発明は、前記映画は画像がデジタルデータで構成されるデジタルシネマであることを特徴とする。
【００１７】
また、本発明は、映画を格納するコンテンツ蓄積及び送信サーバと、前記映画の受信及び上映サーバと、前記映画を配信するＦＰＵ送信機と、当該配信された映画を受信するＦＰＵ受信機と、を備える映画配信システムにおいて、前記ＦＰＵ送信機は、前記ＦＰＵ受信機を介して前記受信及び上映サーバに前記映画を送信する手段を、備えており、前記コンテンツ蓄積及び送信サーバは、前記受信及び上映サーバからの要求に従って前記映画を選択する手段と、当該選択した映画を前記ＦＰＵ送信機に送信する手段と、を備えており、前記受信及び上映サーバは、映画の配信を依頼する要求をする手段と、当該映画を上映する手段と、を備えており、ここで、前記受信及び上映サーバが前記映画の配信を依頼する要求をする手段で映画の配信を要求し、前記コンテンツ蓄積及び送信サーバが前記映画を選択する手段で前記映画を選択し、前記映画送信手段で当該選択された映画を送信し、前記ＦＰＵ送信機は、前記ＦＰＵ受信機を介して前記受信及び上映サーバに前記映画を送信し、前記受信及び上映サーバは当該映画を上映することを特徴とする。
【００１８】
また、本発明は、映画を格納するコンテンツ蓄積及び送信サーバと、前記映画の受信及び上映サーバと、前記映画を配信するＦＰＵ送信機と、当該配信された映画を受信するＦＰＵ受信機と、を備える映画配信システムにおいて、前記コンテンツ蓄積及び送信サーバは、前記コンテンツ蓄積及び送信サーバに格納される、前記ＦＰＵ送信機が配信する計画が記載される表である配信計画表を閲覧する手段と、前記ＦＰＵ送信機が前記映画を配信することが可能な時間を探し出す手段と、配信日時を希望する日時を予約する手段と、前記受信及び上映サーバの要求により、前記映画及び前記配信計画表を選択する手段と、前記受信及び上映サーバから受信した情報とともに前記選択した情報を前記ＦＰＵ送信機に送信する選択情報送信手段と、を備えており、前記受信及び上映サーバは、前記コンテンツ蓄積及び送信サーバに、どの映画が蓄積されているかという映画蓄積情報を問い合わせる手段と、前記コンテンツ蓄積及び送信サーバの映像ファイル蓄積領域に格納されるファイルから配信を希望する映画を選択する手段と、自身を示す番号である受信及び上映サーバ装置番号をＦＰＵ受信機に送信する手段と、配信可能な時間帯及び映像のファイル番号より暗号を作る手段と、前記ＦＰＵ受信機から送信された暗号化された情報とともに当該作成した暗号をコンテンツ蓄積及び送信サーバに送信する手段と、受信した映画を上映する手段と、を備えており、前記ＦＰＵ受信機は、当該ＦＰＵ受信機を示す番号であるＦＰＵ受信機装置番号を前記受信及び上映サーバ装置番号に加えて、当該ＦＰＵ受信機装置番号を有するＦＰＵ受信機が受信した映画は前記受信及び上映サーバ装置番号を送信した前記受信及び上映サーバにのみ送信されるという情報を作成し暗号化し、前記受信及び上映サーバに送る暗号化送信手段と、前記ＦＰＵ受信機は、前記送信された映画を解凍する手段と、当該解凍した映画を送信する受信及び上映サーバを判別する手段と、当該判別に従って前記映画を送信する手段と、を備えており、前記ＦＰＵ送信機は、当該情報を受信すると、前記映画を圧縮する手段と、前記情報を送信したＦＰＵ受信機の方向に前記映画を送信する手段と、を備えており、ここで、前記受信及び上映サーバは、前記映画蓄積手段で問い合わせ、前記映画選択手段で前記映画を選択し、前記コンテンツ蓄積及び送信サーバは、前記配信計画表閲覧手段で配信計画表を閲覧し、前記配信可能時間探索手段で配信可能な時間帯を探し出し、前記配信希望日時予約手段で予約し、前記受信及び上映サーバは、前記受信及び上映サーバ装置番号送信手段で送信し、前記ＦＰＵ受信機は暗号化送信手段で暗号化し送信し、前記コンテンツ蓄積及び送信サーバは、前記配信計画表選択手段で配信計画表を選択し、前記情報選択送信手段で送信し、前記ＦＰＵ送信機は、前記映画圧縮手段で圧縮し、前記映画送信手段で送信し、前記ＦＰＵ受信機は、前記映画解凍手段で前記映画を解凍し、前記受信及び上映サーバ判別手段で判別し、前記映画送信手段で送信し、前記受信及び上映サーバは、前記映画上映手段で上映することを特徴とする。
【００１９】
また、本発明は、前記映画は画像がデジタルデータで構成されるデジタルシネマであることを特徴とする。
【発明の効果】
【００２０】
本発明によれば、ＦＰＵの伝送距離（約５０ｋｍ）を半径とした地域内において、セキュリティを確保しつつ効率的にデジタルシネマコンテンツを配給できることである。
【００２１】
その上、ライブ上映が必要なコンテンツを配信する場合は、上映するデジタルシネマ館を選択する必要があるが、デジタルシネマの大画面に耐えうる画質性能を保持したまま、ライブ配信が可能となる。半径５０ｋｍ円内とは、東京圏や大阪圏等のかなりの大都市圏内を網羅することが可能であり、衛星利用による全国一斉配信や光ケーブルによる域内配信とは違った、映画配信システムを構築できる。
【００２２】
また、デジタルシネマの普及黎明期においては、シアターで上映するシネマ機の値段が高価なため、衛星受信の端末が増えず、衛星利用の映画館一館当たりの費用が大変高いものになるが、本発明によれば、デジタルシネマの普及にも一役貢献できる機能を持っている。
【００２３】
本来、ＦＰＵは、放送局の素材伝送時の設備として使われることを想定して製造及び使用され、大きなイベントに備えて、多くの台数を備えているが、稼働率はあまり高くない。そのため、本発明によれば、その設備を映画伝送用に用いて映画の配信費用を低減させることも可能である。
【００２４】
また、本発明によれば、ＦＰＵ伝送路の指向性と機器のもっている特殊用途性によるセキュリティの高さに加え、デジタルシネマのコンテンツを保護するために上映サーバに備えられる機器管理のセキュリティの方法を加えることにより、セキュリティが高く、デジタルシネマの劇場運営に求められるライブ用途にも使用できるデジタルシネマ用映画配信システムの第３番目のシステムを提供することができる。
【００２５】
また、本発明によれば、ＦＰＵ伝送路のデジタルシネマの上映画質に耐えられるだけの広帯域を持つ素材伝送の能力は、デジタルシネマネットワークに必要とされる経済効率をも満足させるものである。
【発明を実施するための最良の形態】
【００２６】
以下、添付図面を参照して本発明を実施するための最良の実施の形態を説明する。
【００２７】
［構成の説明］
図１は、本発明の第１の実施の形態の映画配信システムの全体を示すブロック図である。
【００２８】
図１に示すように、本実施の形態の映画配信システムは、送信側に複数の送信システムを備えており、本実施の形態では、Ｎ（自然数）個の送信システムを備えている。受信側システムもそれに対応するように送信側システムに接続されている。
【００２９】
また、各送信システムはネットワーク１０３を介して接続されており、ネットワーク１０３には制御サーバ１０２及び配信サーバ１０１が接続されている。
【００３０】
制御サーバ１０２及び配信サーバ１０１は、通常の大規模なネットワークを構築する際に中心機能が果たす役割と同じ役割を果たす。
【００３１】
図２は、本実施の形態の映画配信システムの送信側システムと受信側システムが接続されるネットワークシステムの全体を示すブロック図である。
【００３２】
本実施の形態では、一つの送信側システムに対し複数の受信側システムが接続されており、Ｎ（自然数）個のシステムが接続されている。
【００３３】
送信側システムは、これらの受信側システムに、図４に示す配信先ＦＰＵ情報格納領域５６に格納される情報に従い映画を配信する。
【００３４】
図３は、本実施の形態の送信側システムと受信側システムの構成を示すブロック図である。
【００３５】
図３に示すように、本実施の形態の送信側システムは、入力映像データを圧縮し無線周波数に重畳して送出するＦＰＵ送信機１と、映像データを蓄積し後記する受信兼上映サーバ４からの要求によりＦＰＵ送信機１に映像データを送信するコンテンツ蓄積及び送信サーバ３とを備えており、受信側システムは、受信した無線信号より分離し解凍するとともにＦＰＵ送信機１から送られた映像信号を映像データとして後記する受信及び上映サーバ４に出力するＦＰＵ受信機２と、コンテンツ蓄積及び送信サーバ３に所望の映像データを配信する要求を送り、その要求に基づきコンテンツ蓄積及び送信サーバ３から送信された映像データをＦＰＵ受信機２より受け取り、その映像データを不図示の表示機に送信する受信及び上映サーバ４と、を備えており、ＦＰＵ送信機１とＦＰＵ受信機２とがＦＰＵネットワーク１００を介して接続されており、コンテンツ蓄積及び送信サーバ３と受信及び上映サーバ４とがインターネット２００を介して接続されている。
【００３６】
図４は、ＦＰＵ送信機１の構成を示すブロック図である。
【００３７】
図４に示すように、ＦＰＵ送信機１は、ＦＰＵ送信部５１と、通信部５２と、ハードディスクアレイ５４と、エンコーダ部５９と、がＢＵＳ５３を介して接続されている。
【００３８】
ＦＰＵ送信部５１は、アンテナ部５５と接続されていて、ＦＰＵ受信機２と通信可能となっている。
【００３９】
通信部５２は、コンテンツ蓄積及び送信サーバ３と通信し、コンテンツ蓄積及び送信サーバ３から出力された映像を受信する。
【００４０】
ハードディスクアレイ５４は、通常の記憶領域である記憶領域５７と、配信先ＦＰＵ情報格納領域５６とを備えている。
【００４１】
エンコーダ部５９は、コンテンツ蓄積及び送信サーバ３から出力された映像をエンコード圧縮する。
【００４２】
図５は、ＦＰＵ受信機２の構成を示すブロック図である。
【００４３】
図５に示すように、ＦＰＵ受信機２は、ＦＰＵ受信部６１と、通信部６２と、ハードディスクアレイ６４と、がＢＵＳ５３を介して接続されている。
【００４４】
ＦＰＵ受信部６１は、アンテナ部６５と接続されていて、ＦＰＵ送信機１と通信可能となっている。
【００４５】
ハードディスクアレイ６４は、通常の記憶領域である記憶領域６７と、装置番号格納領域６６とを備えている。
【００４６】
図６は、受信及び上映サーバ４の構成を示すブロック図である。
【００４７】
図６に示すように、制御部７１と、通信部７２と、ＨＤＤ（ハードディスクアレイ）７４と、ＢＵＳ７３を介して接続されている。
【００４８】
ハードディスクアレイ７４は、通常の記憶領域である記憶領域７７と、装置番号格納領域７５と、映像ファイル格納領域７６とを備えている。
【００４９】
図７は、コンテンツ蓄積及び送信サーバ３の構成を示すブロック図である。
【００５０】
図７に示すように、制御部８１と、通信部８２と、ハードディスクアレイ８４とがＢＵＳ８３を介して接続されている。
【００５１】
ハードディスクアレイ８４は、通常の記憶領域である記憶領域７７と、配信計画表ファイル格納領域８５と、ハードディスクアレイ８４内の配信計画表ファイル格納領域８５とを備えている。
【００５２】
［動作の説明］
図８は、本実施の形態の動作を示すシーケンスである。
【００５３】
図８に示すように、本実施の形態では、受信及び上映サーバ４は、ネットワーク２００を介してコンテンツ蓄積及び送信サーバ３に、どのデジタルシネマが蓄積されているかというデジタルシネマ蓄積情報を問い合わせ（ステップＳ１）、映像ファイル格納領域８６に格納されるファイルから配信を希望するデジタルシネマが格納されるファイルを選択する（ステップＳ２）。
【００５４】
選択されたファイルに格納される映像を映像（ＤＣ−Ａ）とする。
【００５５】
また、コンテンツ蓄積及び送信サーバ３は、コンテンツ蓄積及び送信サーバ３の配信計画表ファイル格納領域８５内にあるＦＰＵ送信機１が配信する計画が記載される表である配信計画表を見て（ステップＳ３）、ＦＰＵ送信機１が配信可能な時間帯を探しだし（ステップＳ４）、配信を希望する日時を予約する（ステップＳ５）。
【００５６】
一方、受信及び上映サーバ４は、自身を示す番号を示す受信及び上映サーバ装置番号をＦＰＵ受信機２に送信する（ステップＳ６）。
【００５７】
ＦＰＵ受信機２は、受け取った受信及び上映サーバ装置番号とＦＰＵ受信機の自身を表示する番号であるＦＰＵ受信機装置番号により、この装置番号を有するＦＰＵ受信機２より受信した装置番号を有する受信及び上映サーバ４にのみＦＰＵ送信機１が送信した映像情報を送信するという情報を作成し暗号化して（ステップＳ７）、受信及び上映サーバ４に送り返す（ステップＳ８）。
【００５８】
受信及び上映サーバ４は、配信可能な時間帯及び映像（ＤＣ−Ａ）のファイル番号より暗号を作り（ステップＳ９）、上記のＦＰＵ受信機２から送信された暗号化された情報とともにコンテンツ蓄積及び送信サーバ３に送信する（ステップＳ１０）。
【００５９】
コンテンツ蓄積及び送信サーバ３は、受信及び上映サーバ４の要求により、映像格納ファイル８６より映像（ＤＣ−４）を、配信計画表ファイル格納領域８５より配信計画表を選択し（ステップＳ１１）、ステップＳ８で送信された情報に加えて選択した情報を送信する指示をＦＰＵ送信機１に送る（ステップＳ１２）。
【００６０】
ＦＰＵ送信機１は、ステップＳ６で送信された情報を受信すると、映像（ＤＣ−４）をエンコード圧縮し（ステップＳ１３）、配信計画表にのっとり送信された装置番号を有するＦＰＵ受信機２と判別し（ステップＳ１４）、伝送方向をそのＦＰＵ受信機２がある方向に決め（ステップＳ１５）、エンコード圧縮された情報を電波に乗せて配信する（ステップＳ１６）。（ＦＰＵは指向特性が強いため、雲台により定める必要がある。）  
ＦＰＵ受信機２は、配信された信号から映像（ＤＣ−４）をデコード解凍し（ステップＳ１７）、解凍した映像を、先に送信した情報を元にどの受信及び上映サーバ４に送信するか判別し（ステップＳ１８）、その受信及び上映サーバ４に映像（ＤＣ−４）を配信する（ステップＳ１９）。
【００６１】
映像（ＤＣ−４）を受信した受信及び上映サーバ４は、得られた映像（ＤＣ−４）を表示機で上映する（ステップＳ２０）。
【図面の簡単な説明】
【００６２】
【図１】本発明の第１の実施の形態の映画配信システムの全体を示すブロック図である。
【図２】本発明の第１の実施の形態の映画配信システムの送信側システムと受信側システムが接続されるネットワークシステムの全体を示すブロック図である。
【図３】本発明の第１の実施の形態の送信側システムと受信側システムの構成を示すブロック図である。
【図４】ＦＰＵ送信機１の構成を示すブロック図である。
【図５】ＦＰＵ受信機２の構成を示すブロック図である。
【図６】受信及び上映サーバ４の構成を示すブロック図である。
【図７】コンテンツ蓄積及び送信サーバ３の構成を示すブロック図である。
【図８】本発明の第１の実施の形態の動作を示すシーケンスである。
【符号の説明】
【００６３】
１  ＦＰＵ送信機
２  ＦＰＵ受信機
３  受信及び上映サーバ
４  コンテンツ蓄積及び送信サーバ
１００  ＦＰＵネットワークＢ
２００  ネットワークＡ
【図１】
2005286561.tif 000003
【図２】
2005286561.tif 000004
【図３】
2005286561.tif 000005
【図４】
2005286561.tif 000006
【図５】
2005286561.tif 000007
【図６】
2005286561.tif 000008
【図７】
2005286561.tif 000009
【図８】
2005286561.tif 000010